(57)【要約】【課題】複数の視覚情報の表示設定をユーザが容易に行うことが可能で利便性が高い移動無線端末装置を提供する。【解決手段】制御部７０は、表示部３０に表示する待ち受け画面上において表示する複数のオブジェクト（テロップとアイコン）を、従来のようにそれぞれ別個に操作して表示パラメータを記憶させるのではなく、これらを合わせて仮表示し、それぞれをユーザからの要求に応じて移動・サイズ変更して仮表示して、そしてユーザからの要求に応じて、仮表示に相当する表示パラメータを一括して記憶し、待ち受け画面では、上記表示パラメータに基づいて複数のオブジェクトを表示するようにしたものである。【選択図】      図１
2008124754.tif 000002
【特許請求の範囲】
【請求項１】
ネットワークに収容される基地局と無線通信する移動無線端末装置において、
情報を表示する表示手段と、
ユーザからの要求を受け付ける入力手段と、
この入力手段を通じたユーザからの要求にしたがった位置に、複数の情報をそれぞれ前記表示手段に仮表示する仮表示制御手段と、
前記入力手段を通じてユーザから登録要求があった場合、前記仮表示制御手段が仮表示している複数の情報の表示位置を示す表示パラメータを記憶する記憶手段と、
通信待ち受け時に、前記記憶手段が記憶する表示パラメータにしたがった前記表示手段上の位置に、前記複数の情報を表示する表示制御手段とを具備することを特徴とする移動無線端末装置。
【請求項２】
前記仮表示制御手段は、前記入力手段を通じたユーザからの要求にしたがった大きさで、複数の情報をそれぞれ前記表示手段に仮表示し、
前記記憶手段は、前記入力手段を通じてユーザから登録要求があった場合、前記仮表示制御手段が仮表示している複数の情報の大きさを示す表示パラメータを記憶し、
前記表示制御手段は、通信待ち受け時に、前記記憶手段が記憶する表示パラメータにしたがった大きさで、前記複数の情報を前記表示手段上に表示することを特徴とする請求項１に記載の移動無線端末装置。
【請求項３】
前記仮表示制御手段は、前記入力手段を通じたユーザからの要求にしたがった色で、複数の情報をそれぞれ前記表示手段に仮表示し、
前記記憶手段は、前記入力手段を通じてユーザから登録要求があった場合、前記仮表示制御手段が仮表示している複数の情報の色を示す表示パラメータを記憶し、
前記表示制御手段は、通信待ち受け時に、前記記憶手段が記憶する表示パラメータにしたがった色で、前記複数の情報を前記表示手段上に表示することを特徴とする請求項１に記載の移動無線端末装置。
【請求項４】
前記仮表示制御手段は、前記入力手段を通じたユーザからの要求にしたがった位置に情報を表示した場合に、他の情報の表示と重なる場合は、上記要求にしたがわないことを特徴とする請求項１に記載の移動無線端末装置。
【請求項５】
前記仮表示制御手段は、前記入力手段を通じたユーザからの要求にしたがった位置に情報を表示した場合に、他の情報の表示と重なる場合は、いずれか一方の情報を重ならない位置に移動させて仮表示することを特徴とする請求項１に記載の移動無線端末装置。
【発明の詳細な説明】
【技術分野】
【０００１】
この発明は、例えば携帯電話システムやPHS(Personal Handyphone System)などの移動通信システムで用いられる移動無線端末装置に関する。
【背景技術】
【０００２】
周知のように、移動無線端末装置は、待ち受け画面上に、テロップ（文字情報）を流して表示したり、予め設定した機能を起動するためなどに用いるアイコンを表示するようにしている。これらの表示位置や表示サイズの設定は、それぞれ別々に行う（例えば、特許文献１参照）。
【０００３】
しかしながら、テロップやアイコンなどの視覚情報の表示位置、サイズを変更する場合、同時に表示される視覚情報の表示位置が相互に重ならないようにする必要がある。このため、上述したように別々に設定する場合、設定後に、その設定が反映された表示を確認する作業を繰り返すことになり、ユーザが所望の設定を行いづらく、利便性が低いという問題があった。
【特許文献１】特開平１０−３１５１０号公報
【発明の開示】
【発明が解決しようとする課題】
【０００４】
従来の移動無線端末装置では、複数の視覚情報を相互に重ならないように表示設定するには、設定と表示を繰り返すことになり、ユーザが所望の設定を行いづらく、利便性が低いという問題があった。  
この発明は上記の問題を解決すべくなされたもので、複数の視覚情報の表示設定をユーザが容易に行うことが可能で利便性が高い移動無線端末装置を提供することを目的とする。
【課題を解決するための手段】
【０００５】
上記の目的を達成するために、この発明は、ネットワークに収容される基地局と無線通信する移動無線端末装置において、視覚的に情報を表示する表示手段と、ユーザからの要求を受け付ける入力手段と、この入力手段を通じたユーザからの要求にしたがった位置に、複数の情報をそれぞれ前記表示手段に仮表示する仮表示制御手段と、入力手段を通じてユーザから登録要求があった場合、仮表示制御手段が仮表示している複数の情報の表示位置を示す表示パラメータを記憶する記憶手段と、通信待ち受け時に、記憶手段が記憶する表示パラメータにしたがった表示手段上の位置に、複数の情報を表示する表示制御手段とを具備して構成するようにした。
【発明の効果】
【０００６】
以上述べたように、この発明では、通信待ち受け時に表示手段に表示する表示する複数の情報を、ユーザの要求に応じた位置に仮表示し、そしてユーザからの要求に応じて、仮表示に相当する表示パラメータを一括して記憶し、通信待ち受け時には、上記表示パラメータに基づいて複数の情報を表示するようにしている。  
したがって、この発明によれば、複数の視覚情報の表示設定をユーザが容易に行うことが可能で利便性が高い移動無線端末装置を提供できる。
【発明を実施するための最良の形態】
【０００７】
以下、図面を参照して、この発明の一実施形態について説明する。  
図１は、この発明の一実施形態に係わる移動無線端末装置１００の構成を示すものである。移動無線端末装置１００は、アンテナ１と、通信部１０と、音声処理部２０と、表示部３０と、操作部４０と、報知部５０と、記憶部６０と、制御部７０とを備えている。
【０００８】
ＢＳは、移動通信網に収容される無線基地局を示しており、移動無線端末装置１００は、これと無線通信することにより、音声通信やデータ通信を実現する。また図２に、移動無線端末装置１００の外観を示す。図２は、折りたたみ式の移動無線端末装置１００を例示しており、ここでは開いた状態の内側が示してある。
【０００９】
アンテナ１は、無線基地局ＢＳから送信される無線信号の受信や、当該移動無線端末装置１００から無線基地局ＢＳに宛てた無線信号の送信を行うものである。  
通信部１０は、アンテナ１を通じて無線基地局ＢＳと無線通信し、この無線基地局ＢＳを介して移動通信網ＮＷを通じた通信を行うものである。具体的には、通信部１０は、アンテナ１が受信した無線信号をダウンコンバートして復調し、通信相手局から送信された符号化音声データを得て、これを制御部７０を通じて音声処理部２０に出力する。また通信部１０は、制御部７０を通じて音声処理部２０から与えられる符号化音声データを用いてベースバンド信号を変調し、これをアップコンバートして無線信号を生成し、アンテナ１を通じて無線基地局ＢＳに宛てて送信する。
【００１０】
音声処理部２０は、通信部１０にて復調された符号化音声データを復号して音声信号を再生し、内蔵するスピーカ２１から拡声出力する。これにより、通話相手局からの送話音声がユーザに伝達される。また音声処理部２０は、内蔵するマイクロホン２２から入力された音声信号を符号化して符号化音声データを生成し、これを制御部７０を通じて通信部１０に与える。
【００１１】
表示部３０は、ＬＣＤ（Liquid Crystal Display）などを用いた表示装置であって、テキストや画像など種々の視覚的な情報をユーザに映示するものである。操作部４０は、図２に示すような複数のキースイッチ（以下、キーと略称する）４１〜４７，４５１〜４５４などを備え、ユーザの要求を受け付けるものである。報知部５０は、着信の発生を音によりユーザに報知するものである。
【００１２】
記憶部６０は、制御部７０の制御プログラムや制御データ、無線基地局ＢＳから受信した通信制御に係わるデータを記憶するとともに、電話番号、名称および顔写真などの画像データを対応づけた電話帳データや、送受信したメールデータ、表示部３０にテロップやアイコンを表示制御するための表示パラメータを記憶する。表示パラメータの一例を図３に示す。この図に示すように表示パラメータは、テロップの表示位置を示すパラメータ３１と、表示サイズを示すパラメータ３２、およびアイコンの表示位置を示すパラメータ３３と、表示サイズを示すパラメータ３４を含んでいる。
【００１３】
制御部７０は、当該移動無線端末装置１００の各部を統括して制御するものであって、記憶部６０に記憶される制御プログラムおよび制御データにしたがって動作する。例えば、制御部７０は、通信部１０が所定の通信プロトコルにしたがって無線基地局ＢＳからの着信信号を受信するように制御し、着信信号を受信した場合には、表示部３０および報知部５０を制御して、着信の発生を報知するとともに、操作部４０を通じたユーザの応答操作により、上記着信に応答する信号を通信部１０に送信させ、音声通信リンクを確立する着信制御機能を備える。
【００１４】
また制御部７０は、操作部４０を通じたユーザの発信要求に応じて、上記プロトコルにしたがって通信部１０を制御して、ユーザが指定する電話番号への発信を行う発信制御機能や、この発信に伴って音声通信リンクを確立する通信制御機能を備える。このような音声通信を実現するための制御機能の他に、制御部７０は、通信部１０を制御して、無線基地局ＢＳを介してインターネット上のサーバ装置と通信し、サーバ装置が提供するデータを表示部３０に表示させてユーザに閲覧させるブラウザ機能や電子メールの送受信機能などを備える。
【００１５】
そして制御部７０は、記憶部６０に記憶される表示パラメータに基づいて、待ち受け状態の時に表示部３０に表示する待ち受け画面上に、テロップを流して表示したり、アイコンを表示する表示制御機能を備える。上記テロップ表示は、移動通信網ＮＷから取得したニュースや天気予報など種々の情報をテロップに流して表示するものである。またアイコンは、予め設定した機能を呼び出すためのものであり、ユーザがこのアイコンを選択する操作を操作部４０を通じて行うと、上記機能を実行する。これらの機能も制御部７０の制御によってなされる。
【００１６】
次に、上記構成の移動無線端末装置の動作について説明する。以下の説明では、待ち受け画面上に表示するテロップの表示領域やアイコンの位置やサイズを設定する際の表示設定処理について説明する。図４は、上記表示設定処理を説明するためのフローチャートであって、制御部７０が記憶部６０に記憶される制御プログラムや制御データにしたがった制御動作を行うことにより実現する。またこの処理は、操作部４０を通じたユーザからの要求により開始される。
【００１７】
まず、ステップ４ａにおいて制御部７０は、記憶部６０に記憶される表示パラメータを読み出して、これに基づく位置とサイズで、テロップの表示領域とアイコンを表示部３０に示し、ステップ４ｂに移行する。すなわち、ステップ４ａにおいて制御部７０は、この時点で表示パラメータに設定される位置とサイズで、テロップの表示領域とアイコンをそれぞれ示す。
【００１８】
ステップ４ｂにおいて制御部７０は、操作部４０に対するユーザ操作を検出し、操作されたキーが表示調整用のキーか否かを判定する。ここで、表示調整用のキーに対して操作が為された場合には、ステップ４ｃに移行し、一方、上記キー操作が為されない場合には、ステップ４ｆに移行する。なお、表示調整用のキーとは、図２に示すような４１〜４７，４５１〜４５４などである。
【００１９】
ステップ４ｃにおいて制御部７０は、ステップ４ｂで検出したキーがテロップの表示領域の調整用として対応付けられたキーか否かを判定する。ここで、テロップの表示領域の調整用として対応付けられたキーが操作された場合には、ステップ４ｄに移行し、一方、アイコンの表示調整用として対応付けられたキーが操作された場合には、ステップ４ｅに移行する。
【００２０】
なお、この例では、テロップの表示領域の調整用のキーとして、上方向への移動用にキー４１が、下方向への移動用にキー４２が、サイズ拡大用にキー４３が、サイズ縮小用にキー４４が、それぞれ割り当てられているものとする。また、アイコンの表示調整用のキーとして、上方向への移動用にキー４５１が、下方向への移動用にキー４５２が、左方向への移動用にキー４５３が、右方向への移動用にキー４５４が、サイズ拡大用にキー４６が、サイズ縮小用にキー４７が、それぞれ割り当てられているものとする。
【００２１】
ステップ４ｄにおいて制御部７０は、ステップ４ｂで検出したキーに応じて、ステップ４ａで読み出したテロップ表示用の表示パラメータ（３１，３２）を変更し、それにしたがってテロップの表示領域の位置やサイズを変更して表示する処理を実施し、ステップ４ｆに移行する。なお、詳細については、後に述べる。
【００２２】
ステップ４ｅにおいて制御部７０は、ステップ４ｂで検出したキーに応じて、ステップ４ａで読み出したアイコン表示用の表示パラメータ（３３，３４）を変更し、それにしたがってアイコンの表示位置や表示サイズを変更して表示する処理を実施し、ステップ４ｆに移行する。なお、詳細については、後に述べる。
【００２３】
ステップ４ｆにおいて制御部７０は、テロップの表示領域やアイコンの表示位置や表示サイズを、現在表示される状態で登録する旨の指示が操作部４０を通じて与えられたか否かを判定する。ここでは、例としてキー４５が操作された場合に、登録の意思表示がユーザによって示されたものとする。すなわち、キー４５が操作された場合には、ステップ４ｇに移行し、一方、キー４５が操作されない場合には、ステップ４ｂに移行する。
【００２４】
ステップ４ｇにおいて制御部７０は、現在表示しているテロップの表示領域やアイコンの表示サイズや表示位置を待ち受け時の表示用設定とするために、ステップ４ｄおよびステップ４ｅで変更された表示パラメータを記憶部６０に記録し、当該処理を終了する。なお、この処理が終了すると、記憶部６０に記憶される表示パラメータにしたがった位置とサイズで、テロップとアイコンが待ち受け画面に表示される。
【００２５】
図５を参照して、ステップ４ｄで為される処理について詳述する。  
ステップ５ａにおいて制御部７０は、ステップ４ｂで検出したキーが、テロップの表示領域の位置を上方向に移動する要求であるか否か、すなわちキー４１が操作されたか否かを判定する。ここで、キー４１が操作された場合には、ステップ５ｂに移行し、一方、他のキーが操作された場合には、ステップ５ｃに移行する。
【００２６】
ステップ５ｂにおいて制御部７０は、ステップ４ａで読み出したテロップ表示用の表示パラメータを、テロップの表示領域の位置が上方向に１段階ずれるように変更し、この変更した表示用パラメータに基づく位置にテロップの表示領域を表示部３０に示し、当該処理を終了してステップ４ｆに移行する。
【００２７】
すなわち、例えば図６に示すように、キー４１の操作前に、表示６ａに示す位置にテロップの表示領域があった場合、キー４１の操作により、表示６ｂに示すようにテロップの表示領域が上方向に１段階ずれることになる。なおこの際、待ち受け時に合わせて表示されるアイコンとの位置関係がわかるように、表示パラメータに基づく位置とサイズでアイコンも表示する。
【００２８】
ステップ５ｃにおいて制御部７０は、ステップ４ｂで検出したキーが、テロップの表示領域の位置を下方向に移動する要求であるか否か、すなわちキー４２が操作されたか否かを判定する。ここで、キー４２が操作された場合には、ステップ５ｄに移行し、一方、他のキーが操作された場合には、ステップ５ｅに移行する。
【００２９】
ステップ５ｄにおいて制御部７０は、ステップ４ａで読み出したテロップ表示用の表示パラメータを、テロップの表示領域の位置が下方向に１段階ずれるように変更し、この変更した表示用パラメータに基づく位置にテロップの表示領域を表示部３０に示し、当該処理を終了してステップ４ｆに移行する。
【００３０】
すなわち、例えば図６に示すように、キー４２の操作前に、表示６ａに示す位置にテロップの表示領域があった場合、キー４２の操作により、表示６ｃに示すようにテロップの表示領域が下方向に１段階ずれることになる。なおこの際、待ち受け時に合わせて表示されるアイコンとの位置関係がわかるように、表示パラメータに基づく位置とサイズでアイコンも表示する。
【００３１】
ステップ５ｅにおいて制御部７０は、ステップ４ｂで検出したキーが、テロップの表示領域のサイズを拡大する要求であるか否か、すなわちキー４３が操作されたか否かを判定する。ここで、キー４３が操作された場合には、ステップ５ｆに移行し、一方、他のキーが操作された場合には、ステップ５ｇに移行する。
【００３２】
ステップ５ｆにおいて制御部７０は、ステップ４ａで読み出したテロップ表示用の表示パラメータを、テロップの表示領域のサイズが１段階大きくなるように変更し、この変更した表示用パラメータに基づくサイズでテロップの表示領域を表示部３０に示し、当該処理を終了してステップ４ｆに移行する。
【００３３】
すなわち、例えば図６に示すように、キー４３の操作前に、表示６ａに示すサイズでテロップの表示領域が示されていた場合、キー４３の操作により、表示６ｄに示すようにテロップの表示領域のサイズが１段階大きくなることになる。なおこの際、待ち受け時に合わせて表示されるアイコンとの位置関係がわかるように、表示パラメータに基づく位置とサイズでアイコンも表示する。
【００３４】
ステップ５ｇにおいて制御部７０は、ステップ４ｂで検出したキーが、テロップの表示領域のサイズを縮小する要求であるか否か、すなわちキー４４が操作されたか否かを判定する。ここで、キー４４が操作された場合には、ステップ５ｈに移行し、一方、他のキーが操作された場合には、当該処理を終了してステップ４ｆに移行する。
【００３５】
ステップ５ｈにおいて制御部７０は、ステップ４ａで読み出したテロップ表示用の表示パラメータを、テロップの表示領域のサイズが１段階小さくなるように変更し、この変更した表示用パラメータに基づくサイズでテロップの表示領域を表示部３０に示し、当該処理を終了してステップ４ｆに移行する。
【００３６】
すなわち、例えば図６に示すように、キー４４の操作前に、表示６ａに示すサイズでテロップの表示領域が示されていた場合、キー４４の操作により、表示６ｅに示すようにテロップの表示領域のサイズが１段階小さくなることになる。なおこの際、待ち受け時に合わせて表示されるアイコンとの位置関係がわかるように、表示パラメータに基づく位置とサイズでアイコンも表示する。
【００３７】
図７を参照して、ステップ４ｅで為される処理について詳述する。  
ステップ７ａにおいて制御部７０は、ステップ４ｂで検出したキーが、アイコンの表示位置を上方向に移動する要求であるか否か、すなわちキー４５１が操作されたか否かを判定する。ここで、キー４５１が操作された場合には、ステップ７ｂに移行し、一方、他のキーが操作された場合には、ステップ７ｃに移行する。
【００３８】
ステップ７ｂにおいて制御部７０は、ステップ４ａで読み出したアイコン表示用の表示パラメータを、アイコンの表示位置が上方向に１段階ずれるように変更し、この変更した表示用パラメータに基づく位置にアイコンを表示し、当該処理を終了してステップ４ｆに移行する。
【００３９】
すなわち、例えば図８に示すように、キー４５１の操作前に、表示８ａに示す位置にアイコンが表示されていた場合、キー４５１の操作により、表示８ｂに示すようにアイコンの表示位置が上方向に１段階ずれることになる。なおこの際、待ち受け時に合わせて表示されるテロップの表示領域との位置関係がわかるように、表示パラメータに基づく位置とサイズでテロップの表示領域も示す。
【００４０】
ステップ７ｃにおいて制御部７０は、ステップ４ｂで検出したキーが、アイコンの表示位置を下方向に移動する要求であるか否か、すなわちキー４５２が操作されたか否かを判定する。ここで、キー４５２が操作された場合には、ステップ７ｄに移行し、一方、他のキーが操作された場合には、ステップ７ｅに移行する。
【００４１】
ステップ７ｄにおいて制御部７０は、ステップ４ａで読み出したアイコン表示用の表示パラメータを、アイコンの表示位置が下方向に１段階ずれるように変更し、この変更した表示用パラメータに基づく位置にアイコンを表示し、当該処理を終了してステップ４ｆに移行する。
【００４２】
すなわち、例えば図８に示すように、キー４５２の操作前に、表示８ａに示す位置にアイコンが表示されていた場合、キー４５２の操作により、表示８ｃに示すようにアイコンの表示位置が下方向に１段階ずれることになる。なおこの際、待ち受け時に合わせて表示されるテロップの表示領域との位置関係がわかるように、表示パラメータに基づく位置とサイズでテロップの表示領域も示す。
【００４３】
ステップ７ｅにおいて制御部７０は、ステップ４ｂで検出したキーが、アイコンの表示位置を左方向に移動する要求であるか否か、すなわちキー４５３が操作されたか否かを判定する。ここで、キー４５３が操作された場合には、ステップ７ｆに移行し、一方、他のキーが操作された場合には、ステップ７ｇに移行する。
【００４４】
ステップ７ｆにおいて制御部７０は、ステップ４ａで読み出したアイコン表示用の表示パラメータを、アイコンの表示位置が左方向に１段階ずれるように変更し、この変更した表示用パラメータに基づく位置にアイコンを表示し、当該処理を終了してステップ４ｆに移行する。
【００４５】
すなわち、例えば図８に示すように、キー４５３の操作前に、表示８ａに示す位置にアイコンが表示されていた場合、キー４５３の操作により、表示８ｄに示すようにアイコンの表示位置が左方向に１段階ずれることになる。なおこの際、待ち受け時に合わせて表示されるテロップの表示領域との位置関係がわかるように、表示パラメータに基づく位置とサイズでテロップの表示領域も示す。
【００４６】
ステップ７ｇにおいて制御部７０は、ステップ４ｂで検出したキーが、アイコンの表示位置を右方向に移動する要求であるか否か、すなわちキー４５４が操作されたか否かを判定する。ここで、キー４５４が操作された場合には、ステップ７ｈに移行し、一方、他のキーが操作された場合には、ステップ７ｉに移行する。
【００４７】
ステップ７ｈにおいて制御部７０は、ステップ４ａで読み出したアイコン表示用の表示パラメータを、アイコンの表示位置が右方向に１段階ずれるように変更し、この変更した表示用パラメータに基づく位置にアイコンを表示し、当該処理を終了してステップ４ｆに移行する。
【００４８】
すなわち、例えば図８に示すように、キー４５４の操作前に、表示８ａに示す位置にアイコンが表示されていた場合、キー４５４の操作により、表示８ｅに示すようにアイコンの表示位置が右方向に１段階ずれることになる。なおこの際、待ち受け時に合わせて表示されるテロップの表示領域との位置関係がわかるように、表示パラメータに基づく位置とサイズでテロップの表示領域も示す。
【００４９】
ステップ７ｉにおいて制御部７０は、ステップ４ｂで検出したキーが、アイコンの表示サイズを拡大する要求であるか否か、すなわちキー４６が操作されたか否かを判定する。ここで、キー４６が操作された場合には、ステップ７ｊに移行し、一方、他のキーが操作された場合には、ステップ７ｋに移行する。
【００５０】
ステップ７ｊにおいて制御部７０は、ステップ４ａで読み出したテロップ表示用の表示パラメータを、アイコンの表示サイズが１段階大きくなるように変更し、この変更した表示用パラメータに基づくサイズでアイコンを表示部３０に表示し、当該処理を終了してステップ４ｆに移行する。
【００５１】
すなわち、例えば図８に示すように、キー４６の操作前に、表示８ａに示すサイズでアイコンが表示されていた場合、キー４６の操作により、表示８ｆに示すようにアイコンの表示サイズが１段階大きくなることになる。なおこの際、待ち受け時に合わせて表示されるテロップとの位置関係がわかるように、表示パラメータに基づく位置とサイズでテロップも表示する。
【００５２】
ステップ７ｋにおいて制御部７０は、ステップ４ｂで検出したキーが、アイコンの表示サイズを縮小する要求であるか否か、すなわちキー４７が操作されたか否かを判定する。ここで、キー４７が操作された場合には、ステップ７ｌに移行し、一方、他のキーが操作された場合には、当該処理を終了してステップ４ｆに移行する。
【００５３】
ステップ７ｌにおいて制御部７０は、ステップ４ａで読み出したテロップ表示用の表示パラメータを、アイコンの表示サイズが１段階小さくなるように変更し、この変更した表示用パラメータに基づくサイズでアイコンを表示部３０に表示し、当該処理を終了してステップ４ｆに移行する。
【００５４】
すなわち、例えば図８に示すように、キー４７の操作前に、表示８ａに示すサイズでアイコンが表示されていた場合、キー４７の操作により、表示８ｇに示すようにアイコンの表示サイズが１段階小さくなることになる。なおこの際、待ち受け時に合わせて表示されるテロップとの位置関係がわかるように、表示パラメータに基づく位置とサイズでテロップも表示する。
【００５５】
次に、待ち受け画面上に表示するテロップの表示領域やアイコンの位置やサイズを設定例について説明する。図９は、その一例を示すものであって、初期状態（設定開始直前までに設定されている位置に、設定開始直前までに設定されたサイズで表示された状態）として表示９ａに示すような位置とサイズで、テロップの表示領域とアイコンが存在し、後述するユーザ操作により、最終的に表示９ｉに示すような位置とサイズで、テロップの表示領域とアイコンが表示されるものとする。
【００５６】
まず表示９ａに示すように、アイコンとテロップの表示領域が配置されて表示している状態において、図４に示した処理を開始し、ユーザがキー４２を操作すると、図５のステップ５ｄによって表示９ｂに示すように、テロップの表示領域が１段階下がった位置に表示される。また、キー４５には、現在表示されている配置を登録する機能が対応付けられていることが表示される（４５ａ）。そしてさらに、ユーザがキー４３を操作すると、図５のステップ５ｆによって表示９ｃに示すように、テロップの表示領域が１段階拡大されて表示される。
【００５７】
そして、ユーザがキー４５２を操作すると、図７のステップ７ｄによって表示９ｄに示すように、アイコンが１段階下がった位置に表示され、アイコンがテロップの表示領域に接した状態となる。そしてさらに、ユーザがキー４５２を操作すると、図７のステップ７ｄによって表示９ｅに示すように、アイコンがさらに１段階下がった位置に表示され、アイコンがテロップの表示領域に重なった状態となる。このとき、制御部７０は、アイコンとテロップの表示領域が重ねっていることを検出し、キー４５の操作により登録を受け付けないように、４５ａ表示を消す。ここで仮に、キー４５が操作されても、制御部７０は、登録を受け付けない。
【００５８】
そして、ユーザがキー４２を操作すると、図５のステップ５ｄによって表示９ｆに示すように、テロップの表示領域が１段階下がった位置に表示される。このとき、制御部７０は、アイコンとテロップの表示領域が重ならなくなったことを検出し、４５ａを再び表示する。ここで仮に、キー４５が操作されると、制御部７０は、登録を受け付ける。そしてさらに、ユーザがキー４５２を操作すると、図７のステップ７ｄによって表示９ｇに示すように、アイコンがさらに１段階下がった位置に表示される。
【００５９】
そして、ユーザがキー４６を操作すると、図７のステップ７ｊによって表示９ｈに示すように、アイコンの表示サイズが１段階拡大されて表示される。そしてここで、表示９ｈの配置を登録するためにユーザがキー４５を操作すると、図４のステップ４ｇによって、この時点までに変更された表示パラメータが記憶部６０に上書き保存される。そして、この保存された表示パラメータに基づいて、表示９ｉに示すように、テロップ表示領域と、アイコンが待受画面に表示される。
【００６０】
以上のように、上記構成の移動無線端末装置では、表示部３０に表示する待ち受け画面上において表示する複数のオブジェクト（テロップとアイコン）を、従来のようにそれぞれ別個に操作して表示パラメータを記憶させるのではなく、これらを合わせて仮表示し、それぞれをユーザからの要求に応じて移動・サイズ変更して仮表示して、そしてユーザからの要求に応じて、仮表示に相当する表示パラメータを一括して記憶し、待ち受け画面では、上記表示パラメータに基づいて複数のオブジェクトを表示するようにしている。
【００６１】
したがって、上記構成の移動無線端末装置によれば、待ち受け画面上に表示される複数のオブジェクトの仮の配置を認識しながらその設定を行え、またすべてのオブジェクトの表示設定を行えるので、ユーザが所望の設定を容易に行え、利便性が高い。
【００６２】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００６３】
その一例として例えば、上記実施の形態では、複数のオブジェクトが互いに重なる場合（図９の表示９ｅ）を例示したが、制御部７０が重なるようなキー操作を検出すると、これを拒否したり、あるいは、重ならない位置に配置して表示するようにしてもよい。この場合、制御部７０が、オブジェクトの移動や拡大に伴って他のオブジェクトに重なるか否かを判断し、重なる場合にはエラー表示や要求を拒否したり、あるいは重なることを回避する位置に、重なる側のオブジェクトもしくは重ねられる側のオブジェクトを移動させるように表示パラメータを自動変更し、それを仮表示する。
【００６４】
また上記実施の形態では、オブジェクトの一例として、テロップとアイコンを例に挙げて説明したが、テロップとテロップ、アイコンとアイコンであってもよい。また上述したようなテロップとアイコンに加え、さらに別のアイコンが存在してもよい。この場合は、例えばステップ４ｃとステップ４ｅの間などに、アイコンを選択するステップを設けるようにすればよい。
【００６５】
あるいは、アイコンは選択せずに、別途Ｓｈｉｆｔキーなど用いて、Ｓｈｉｆｔキーを押下しながらキー操作した場合には、第１のアイコンの表示パラメータを変更し、Ｓｈｉｆｔキーを押下せずにキー操作した場合には、第２のアイコンの表示パラメータを変更するようにしてもよい。
【００６６】
そしてまた上記実施の形態では、表示位置と表示サイズを設定する場合を例に挙げて説明したが、アイコンやテロップの配色や、アイコンの種類、テロップの流れる速度などを表示パラメータとして設定する場合にも適用できる。  
また、図９に示した電界強度の表示、電池残量の表示、及び現在時刻の表示がなされる行（一番上の行）、及び、「登録」が可能である旨の表示がなされる行（一番下の行）には、テロップやアイコンを表示設定できないように制御してもよい。これによって、移動無線端末装置において重要な表示（電界強度の表示、電池残量の表示、及び現在時刻の表示など）がアイコン及びテロップによって隠れないようにすることができる。  
その他、この発明の要旨を逸脱しない範囲で種々の変形を施しても同様に実施可能であることはいうまでもない。
【図面の簡単な説明】
【００６７】
【図１】この発明に係わる移動無線端末装置の一実施形態の構成を示す回路ブロック図。
【図２】図１に示した移動無線端末装置の外観を示す図。
【図３】図１に示した移動無線端末装置の記憶部が記録する表示パラメータの一例を示す図。
【図４】図１に示した移動無線端末装置の待ち受け画面の表示設定を行う処理を説明するためのフローチャート。
【図５】図１に示した移動無線端末装置の待ち受け画面の表示設定を行う処理を説明するためのフローチャート。
【図６】図５に示した処理による表示設定中の画面遷移を説明するための図。
【図７】図１に示した移動無線端末装置の待ち受け画面の表示設定を行う処理を説明するためのフローチャート。
【図８】図７に示した処理による表示設定中の画面遷移を説明するための図。
【図９】図４に示した処理による表示設定中の画面遷移例を示す図。
【符号の説明】
【００６８】
１…アンテナ、１０…通信部、２０…音声処理部、２１…スピーカ、２２…マイクロホン、３０…表示部、４０…操作部、５０…報知部、６０…記憶部、７０…制御部、１００…移動無線端末装置、ＢＳ…無線基地局、ＮＷ…移動通信網。
【図１】
2008124754.tif 000003
【図２】
2008124754.tif 000004
【図３】
2008124754.tif 000005
【図４】
2008124754.tif 000006
【図５】
2008124754.tif 000007
【図６】
2008124754.tif 000008
【図７】
2008124754.tif 000009
【図８】
2008124754.tif 000010
【図９】
2008124754.tif 000011